(57)【要約】    【課題】極めて短期間での仮設桟橋の構築を可能とさせる仮設橋脚ユニットとそのユニットを用いる仮設橋脚の施工方法を提供する。    【解決手段】仮設橋脚ユニット１は、複数の管状体１１と、フレーム１２と、受け袋１３とをユニットとして含む。仮設橋脚ユニット１の施工は、仮組みされた仮設橋脚ユニット１を目的の設置場所まで運搬船によって運搬した後に、仮設橋脚ユニット１を設置場所に設置することによって行われる。設置は、複数の管状体１１を河川底に接地させ、受け袋１３を介して各管状体１１を安定させ、その後、各管状体１１とフレーム１２とを固定することによって行われる。    【効果】極めて短時間での仮設橋脚の構築が可能となる。また、仮設桟橋の施工は、仮設橋脚ユニットを設置した後に、その上にトラスをかける施工順序であるので非常に合理的となり、短期間での仮設桟橋の構築が可能となる。【選択図】            図６
2005060986.tif 000002
【特許請求の範囲】
【請求項１】
一時的に設置する仮設桟橋に用いられる橋脚ユニットであって、
上下方向に延び、その下端部に下方に向かって拡がる拡開部を有する複数の管状体と、
上記複数の管状体を連結するためのフレームと、
上記各管状体に備えられ、上記各管状体の上部からコンクリートが流し込まれるとそのコンクリートを受け止め、各管状体の拡開部の下端から外側へ膨らみ出る受け袋と、を含む仮設橋脚ユニット。
【請求項２】
上記仮設橋脚ユニットを用いる仮設橋脚の施工方法であって、
上記複数の管状体とフレームとを仮組みして仮設橋脚ユニットにする工程と、
仮組みされた仮設橋脚ユニットを運搬船によって目的の設置場所まで運搬する工程と、
目的の設置場所で、当該仮設橋脚ユニットに含まれる複数の管状体を降下させ河川底に接地させる工程と、
河川底に接地した当該各管状体の上部からコンクリートを打設し、当該管状体の拡開部の下端からコンクリートが充満された受け袋を外側へ膨らませることによって当該各管状体を安定させる工程と、
安定させた当該管状体とフレームとの仮組み状態を固定する工程と、
を含むことを特徴とする仮設橋脚の施工方法。
【請求項３】
上記コンクリートの打設は、内袋で被われた打設用パイプが管状体に挿入されることによって行われ、打設用パイプからコンクリートが流出されることによって、コンクリートで満たされた内袋が上記受け袋および管状体の内壁に沿って拡がり、管状体内にコンクリートが充満されることにより行われることを特徴とする請求項２に記載の仮設桟橋の施工方法。
【請求項４】
上記固定する工程の後に、さらに、フレームおよび管状体から河川底にアンカーを打込む工程を含むことを特徴とする請求項２または３に記載の仮設橋脚の施工方法。
【発明の詳細な説明】
【技術分野】
【０００１】
この発明は、河川等に一時的に設置される仮設桟橋に用いられる仮設橋脚ユニットとそのユニットを用いる仮設橋脚の施工方法に関する。
【背景技術】
【０００２】
現在、様々な仮設桟橋が一時的に構築されている。たとえば河川においては、対岸で工事がおこなわれる場合等に一時的な渡河設備が必要となるからである。この仮設桟橋を利用して工事が行われることになるので、仮設桟橋の構築期間が長びけば、全体としての工期の遅れにつながることとなる。また、その一方で、仮設桟橋は当然に、渡河設備としての安全性は確保されなければならない。つまり、仮設桟橋は、一定の範囲内で強固に据え付けられ、かつ、短期間で構築されなければならないといえる。
【０００３】
そこで、現在、たとえば特許文献１のように、仮設桟橋の一部をパネル化しておき、現場において組立て作業を行う技術が提案されている。
【特許文献１】特開平１０−４６５２３号公報
【発明の開示】
【発明が解決しようとする課題】
【０００４】
しかしながら、上記従来技術では、仮設桟橋に用いる基礎杭を岸から順々に河川底深くに打込んでいく施工方法であり、基礎杭を打込むための機械と時間が必要となるため手間がかかるといった問題がある。また、基礎杭を河川底深く打込むため、撤去する際に手間がかかるといった問題もある。
【０００５】
この発明は、かかる技術背景のもとになされたものであり、極めて短期間での仮設桟橋の構築を可能とさせる仮設橋脚ユニットとそのユニットを用いる仮設橋脚の施工方法を提供することを目的とする。
【課題を解決するための手段】
【０００６】
上記目的を達成するための請求項１記載の発明は、一時的に設置する仮設桟橋に用いられる橋脚ユニット（１）であって、上下方向に延び、その下端部に下方に向かって拡がる拡開部（１１１）を有する複数の管状体（１１）と、上記複数の管状体を連結するためのフレーム（１２）と、上記各管状体に備えられ、上記各管状体の上部からコンクリートが流し込まれるとそのコンクリートを受け止め、各管状体の拡開部の下端から外側へ膨らみ出る受け袋（１３）と、を含む仮設橋脚ユニット（１）である。
【０００７】
なお、括弧内の英数字は、後述の実施形態における対応構成要素などを表す。以下、この項において同じ。
【０００８】
この複数の管状体は、橋脚の脚の部分として用いられるものであり、フレームは、その複数の管状体を連結するものである。また、各管状体に備えられた受け袋は、コンクリートが充満され膨らむことで、仮設橋脚ユニットの設置の際に各管状体を設置底面に対して安定させるものである。
【０００９】
この発明によれば、仮設橋脚ユニットは、複数の管状体と、フレームと、受け袋とをユニットとして含むので、仮設橋脚の構築の際にそのユニットを用いることで短時間で仮設橋脚を構成することができる。
【００１０】
請求項２記載の発明は、上記仮設橋脚ユニット（１）を用いる仮設橋脚の施工方法であって、上記複数の管状体（１１）とフレーム（１２）とを仮組みして仮設橋脚ユニットにする工程と、仮組みされた仮設橋脚ユニットを運搬船（２）によって目的の設置場所まで運搬する工程と、目的の設置場所で、当該仮設橋脚ユニットに含まれる複数の管状体を降下させ河川底に接地させる工程と、河川底に接地した当該各管状体の上部からコンクリートを打設し、当該管状体の拡開部（１１１）の下端からコンクリートが充満された受け袋（１３）を外側へ膨らませることによって当該各管状体を安定させる工程と、安定させた当該管状体とフレームとの仮組み状態を固定する工程と、を含むことを特徴とする仮設橋脚の施工方法である。
【００１１】
なお、仮設橋脚ユニットは仮組み状態では、複数の管状体は、それぞれ、フレームに対して長手方向に移動し得るようにされている。複数の管状体を河川底に接地させる工程では、各管状体をフレームに対して移動させ、各管状体を降下させて河川底に接地させる工程が含まれる。また、固定する工程の後に、フレームから上方へ突出した各管状体の不要な菅部分を切り取る工程があってもよい。
【００１２】
この発明によれば、組み立てられた仮設橋脚ユニットを目的の設置場所まで運搬船によって運搬した後に、仮設橋脚ユニットを設置場所に設置する。設置は、複数の管状体を河川底に接地させ、受け袋を介して各管状体を安定させ、その後、各管状体に対してフレームを固定することによって行われるので、極めて短時間での仮設橋脚の構築が可能となる。
【００１３】
請求項３記載の発明は、上記コンクリートの打設は、内袋（１３１）で被われた打設用パイプ（１３２）が管状体（１１）に挿入されることによって行われ、打設用パイプからコンクリートが流出されることによって、コンクリートで満たされた内袋が上記受け袋（１３）および管状体の内壁に沿って拡がり、管状体内にコンクリートが充満されることにより行われることを特徴とする請求項２に記載の仮設桟橋の施工方法である。
【００１４】
この発明によれば、コンクリートは内袋に満たされるので、コンクリートの打設時に管状体内に存在する水とコンクリートとが直接接しないようにすることができ、コンクリートの劣化を防ぐことができる。
【００１５】
請求項４記載の発明は、上記固定する工程の後に、さらに、フレーム（１２）および管状体（１１）から河川底にアンカー（４）を打込む工程を含むことを特徴とする請求項２または３に記載の仮設橋脚の施工方法である。
【００１６】
この構成によれば、各管状体に対してフレームを固定した後に、さらに、アンカーを河川底に打込むので、仮設橋脚の安定度および強度を向上させることができる。
【発明を実施するための最良の形態】
【００１７】
以下では、この発明の実施の形態を、添付図面を参照して詳細に説明する。
【００１８】
図１は、仮設橋脚ユニット１の構成を示す概略図であり、（ａ）は正面図、（ｂ）は側面図、（ｃ）は平面図である。仮設橋脚ユニット１は、仮設桟橋の橋脚として用いられるもので、後述のように、目的の設置場所に運搬されて設置され、その後、仮設橋脚ユニット１を介してトラスが連結されることで仮設桟橋が構築される(図７参照)。
【００１９】
仮設橋脚ユニット１には、管状であって上下方向に延びる複数の管状体１１と、複数の管状体１１を上下方向の任意の位置で連結させるためのフレーム１２と、受け袋１３（図２参照）とが含まれる。
【００２０】
この実施形態においては、仮設橋脚ユニット１には、１０本の管状体１１が用いられる。各管状体１１は、この実施形態ではおよそ３メートル程度の長さとされ、その下端部に、下方に向かって拡がる形状であって、かつ、底がない形状の拡開部１１１を有している。また、拡開部１１１は、拡開部１１１の外面に備えられ、その間隔がほぼ等間隔となるように配置された６個の補強用リブ１１２によって補強されている。なお、管状体１１の数、長さおよび補強用リブ１１２の数は上記のものに限られない。
【００２１】
また、フレーム１２には、管状体１１が挿通される連結孔１２１が１０個形成されている。フレーム１２の１０個の連結孔１２１は、幅方向に２個ずつ並列した組が、長手方向に５組配列されている。各連結孔１２１の間隔はおよそ等間隔である。なお、フレーム１２は、各連結孔１２１を縦および横につないでいる。
【００２２】
図２は、受け袋１３の構成を示すための図であり、（ａ）は受け袋１３の正面図であり、（ｂ）は受け袋１３を備えた管状体１１の正面図である。受け袋１３は、たとえばテント地の袋であって、管状体１１の拡開部１１１の下端を下方から包み込むことができる形状とされている。受け袋１３は、管状体１１の拡開部１１１の下端を下方から包み込み、かつ、受け袋１３が膨らんだ場合には、拡開部１１１の下端と受け袋１３の底との間に所定の空間が形成されるようにあそびがもたせられて、管状体１１の拡開部１１１に備えられている。受け袋１３のあそびの部分は、施工時以外のときは、たとえば、拡開部１１１の下端から拡開部１１１の内部におさめられている。
【００２３】
施工においては、たとえば綿の内袋１３１に、打設用パイプ１３２を挿入した状態で、打設用パイプ１３２が管状体１１の上部から内部に入れられ、打設用パイプ１３２からコンクリートが流出される。これにより、コンクリートで満たされた内袋１３１が受け袋１３および管状体１１の内壁に沿って拡がる。内袋１３１に満たされたコンクリートは、受け袋１３で受け止められ、拡開部１１１の下端から外側へ膨らみ出て、設置面に沿って当接する。よって、コンクリートが打設された管状体１１は、設置場所に安定して設置される。なお、内袋１３１を用いるとコンクリートの打設時に、管状体１１内に存在する水とコンクリートとが直接接しないようにすることができ、コンクリートの劣化を防ぐことができる。
【００２４】
なお、内袋１３１は、管状体１１の内部で、コンクリートが漏れないようにして任意の形状に膨らむものであればよく、上記のものに限られない。また、内袋１３１を用いる場合は、受け袋１３は、コンクリートで満たされた内袋１３１を受け止められるものであればよい。たとえば、網目の細かな柔軟性のある金網であってもよい。また、内袋１３１を用いずに管状体１１の上部からコンクリートを打設し、受け袋１３が直接コンクリートを受け止める構成であってもよい。
【００２５】
仮設橋脚ユニット１は、受け袋１３を備えた１０本の管状体１１を、フレーム１２の１０個の連結孔１２１に下方から上方に向かって挿通させた構成とされる。フレーム１２は、幅方向の長さがおよそ２メートル、長手方向の長さがおよそ９メートルとされている。また、各連結孔１２１の直径は、各管状体１１の菅の直径よりも大きくなるように形成されている。通常、各管状体１１とフレーム１２とは、たとえば、トラックによってそれぞれが現場に運ばれ、現場において、仮設橋脚ユニット１が仮組みされる。仮設橋脚ユニット１の仮組みにおいて、フレーム１２と各管状体１１とは、仮設橋脚ユニット１の設置前は、たとえば、ピンのような仮止め部材によって仮止めされている。これにより、フレーム１２と各管状体１１とは、仮設橋脚ユニット１の設置時に、その仮止めをはずすことによって、相対的に上下方向に移動し得る。この構成により、仮設橋脚ユニット１の構成部材を容易に現場に運ぶことができ、さらに、現場において仮設橋脚ユニット１を容易に組み立てることができる。なお、フレーム１２の大きさは上記のものに限らず、種々の変更が可能である。
【００２６】
仮設橋脚ユニット１はその施工において、目的の設置場所で各管状体１１を河川底に接地させるが、河川底は一様に平らではないので、予め各管状体１１をフレーム１２に固定すると、設置場所において、河川底まで届かず接地しない管状体１１が存在したり、フレーム１２が水平を保てなかったりする。そこで、上記のように、フレーム１２と各管状体１１とは相対的に上下方向に移動し得る構成とされている。これにより、仮設橋脚ユニット１の設置に際しては、フレーム１２の水平を保ちつつ、全ての管状体１１を河川底に接地させることができる。なお、後述のように、全ての管状体１１が設置場所に設置されて安定させられた後に、フレーム１２と各管状体１１との連結状態が、たとえば、溶接されることによって固定される。
【００２７】
以下、仮設橋脚ユニット１の施工方法と併せて説明する。
【００２８】
図３は、仮設橋脚ユニット１を設置場所上方まで移動させた図であり、（ａ）は正面図、（ｂ）は側面図である。仮設橋脚ユニット１を用いた仮設桟橋が河川に構築される場合には、まず、仮設橋脚ユニット１が河川の所定の位置に設置されることになる。設置場所は、たとえば、浅瀬の河川であり、河川底が軟弱である場合には必要に応じて、河川底は浚渫される。
【００２９】
仮設橋脚ユニット１は、各管状体１１とフレーム１２とが仮組みされ、各管状体１１とフレーム１２とが仮止めされたまま、岸から運搬船２によって目的の設置場所まで運ばれる。運搬船２は、側面形状が門形のトラスからなる簡易形状の船であり、たとえば、発泡スチロールのように水に浮く素材を船底部材として用いており、トラス部分をその上部に備えることで運搬船２全体として水に浮くことができる。
【００３０】
仮設橋脚ユニット１は、運搬船２のトラス部分の門の内部に、たとえば、チェーンブロックによって吊り下げられて、目的の設置場所まで移動させられる。これにより、仮組みされた仮設橋脚ユニット１を容易に設置場所まで移動させることが可能である。
【００３１】
図４は、管状体１１を設置場所に降下させた図であり、（ａ）は正面図、（ｂ）は側面図である。運搬船２は、河川底に対して運搬船２を固定するためのスパッド２１を備えている。設置場所上方まで移動した運搬船２から、河川底にスパッド２１が打込まれ、河川底に対して運搬船２が固定される。その後、仮設橋脚ユニット１は、まず、フレーム１２が水上で水平になるように位置決めされる。さらに、フレーム１２に仮止めされた管状体１１が、順にほぼ垂直に降下させられる。各管状体１１は、河川底に接地するまで垂直に降下させられる。設置場所の河川底は一様に平らではないので、設置する前に各管状体１１とフレーム１２とを固定してしまうと、全ての管状体１１が河川底に接地することができず、仮設橋脚ユニット１全体として不安定になってしまう。そこで上記のように、各管状体１１がフレーム１２に対して上下方向に移動可能な構成としておくことで、設置場所において、全ての管状体１１を、垂直を保ったまま河川底に接地させることができる。なお、管状体１１は、河川底に実際に接するものに限らず、たとえば、河川底からわずかに離された状態で静止させられるものでもよい。
【００３２】
図５は、仮設橋脚ユニット１の設置時の図であり、（ａ）は正面図、（ｂ）は側面図である。すべての管状体１１が河川底に接地した後、前述のように、管状体１１内にコンクリートが打設される。コンクリートが打設されると、各管状体１１の下端から膨らみ出たそれぞれの受け袋１３を介して、コンクリートが河川底に密接することで、各管状体１１が河川底に対して垂直を保ったまま安定する。河川底に各管状体１１を打込まないので、地盤が非常に固いような場合であっても容易に設置でき、複雑な河川底の形状にも対応できる。さらに、掘削機を必要とせず、目的の設置場所に直接設置することができる。
【００３３】
各管状体１１が安定した後、各管状体１１とフレーム１２とが、たとえば、溶接されて固定される。フレーム１２と各管状体１１とが固定された後に、フレーム１２から上方に突出する各管状体１１の菅部分は切断される。このようにして、フレーム１２が水平を保ち、かつ、すべての管状体１１が垂直を保って安定した状態で、各管状体１１とフレーム１２とが固定される。
【００３４】
図６は、仮設橋脚ユニット１の設置完了時の図であり、（ａ）は正面図、（ｂ）は側面図である。上記のように、各管状体１１にコンクリートが流し込まれ、受け袋１３が拡開部１１１の外側に膨らみ、フレーム１２と各管状体１１とが固定されることで、河川底に対して安定させられた仮設橋脚ユニット１は、その上部にトラス用連結体３が備えられる。トラス用連結体３は、仮設桟橋の主要部分を担うトラスと連結させるためのものである。なお、トラス用連結体３は、実施上トラスを連結できる形状や構造であればよい。また、フレーム１２および管状体１１から河川底に複数のアンカー４がほぼ垂直に差し込まれる。これにより、仮設橋脚ユニット１が確実に河川底に対して固定され、安全性が確保される。このようにして仮設橋脚ユニット１が完成する。仮設桟橋の構築では複数の仮設橋脚ユニット１が同様の手順で設置され、その上部にトラスがかけられることで仮設桟橋の構築が完了する。
【００３５】
図７は、仮設橋脚ユニット１を用いた仮設桟橋の完成図である。この実施形態では、３個の仮設橋脚ユニット１と２個のトラス５が用いられている。２個の仮設橋脚ユニット１が、河川の中央部に設置され、１個の仮設橋脚ユニット１が岸の一方付近に設置されている。それぞれの仮設橋脚ユニット１の上部には、トラス用連結体３が備えられており、岸から順々にトラス５がかけられ、トラス５と仮設橋脚ユニット１の上部に備えられたトラス用連結体３とが連結されることでトラス５が保持され、さらに、図示しない覆工板等が備えられることで仮設桟橋が完成する。
【００３６】
仮設桟橋は、通常、渡河設備として用いられる一時的なものである。つまり、仮設桟橋は、安全性が確保されつつ、短期間で構築されるものが好ましい。この実施形態では、仮設橋脚ユニット１を仮設桟橋に用いることで、たとえば、２〜３日といった非常に短期間で仮設桟橋を構築することが可能である。なぜなら、設置が容易な仮設橋脚ユニット１を設置した後に、その上にトラスをかける施工順序であるので、非常に合理的であるからである。また、上記のように安全性は確保され、さらに、その構成が簡易なものであるので、経済的にも良好なものであるともいえる。
【００３７】
この発明は、以上説明した実施形態に限定されるものではなく、請求項記載の範囲内において種々の変更が可能である。
【図面の簡単な説明】
【００３８】
【図１】仮設橋脚ユニットの構成を示す概略図である。
【図２】受け袋の構成を示すための図である。
【図３】仮設橋脚ユニットを設置場所上方まで移動させた図である。
【図４】管状体を設置場所に降下させた図である。
【図５】仮設橋脚ユニットの設置時の図である。
【図６】仮設橋脚ユニットの設置完了時の図である。
【図７】仮設橋脚ユニットを用いた仮設桟橋の完成図である。
【符号の説明】
【００３９】
１      仮設橋脚ユニット
２      運搬船
４      アンカー
１１    管状体
１２    フレーム
１３    受け袋
１１１  拡開部
１３１  内袋
１３２  打設用パイプ
【図１】
2005060986.tif 000003
【図２】
2005060986.tif 000004
【図３】
2005060986.tif 000005
【図４】
2005060986.tif 000006
【図５】
2005060986.tif 000007
【図６】
2005060986.tif 000008
【図７】
2005060986.tif 000009